(57)【特許請求の範囲】
【請求項１】
ヘッドバンドと、
前記ヘッドバンドの一端側に設けられ、前記ヘッドバンドに対してスライドする第１のスライダと、
前記ヘッドバンドの他端側に設けられ、前記ヘッドバンドに対してスライドする第２のスライダと、
前記第１のスライダと前記第２のスライダとを接続し、前記第１のスライダのスライド動作に連動して前記第２のスライダをスライドさせる接続部と、
前記第１のスライド部と前記第２のスライド部にそれぞれ設けられ、音声出力部を収納する一対のハウジングと
を備えるヘッドホン。
【請求項２】
前記ヘッドバンドに折り返し部が設けられており、
前記接続部は、前記折り返し部で折り返されることにより、前記第１のスライダのスライド方向と同方向に前記第２のスライダをスライドさせる
請求項１に記載のヘッドホン。
【請求項３】
前記接続部は、前記第１のスライダのスライド動作により、前記第１のスライダのスライド距離と略同等の距離だけ第２のスライダをスライドさせる
請求項１に記載のヘッドホン。
【請求項４】
前記折り返し部は、前記ヘッドバンドの一方および他方にそれぞれ設けられており、
前記接続部は、第１の接続部と第２の接続部とからなり、前記第１の接続部は、前記第１のスライド部のスライドに連動して前記第２のスライド部をスライドさせ、前記第２の接続部は、前記第２のスライド部のスライドに連動して前記第１のスライド部をスライドさせる
請求項１に記載のヘッドホン。
【請求項５】
前記接続部は、線材により構成されている
請求項１に記載のヘッドホン。
【請求項６】
前記接続部は、アラミド繊維、または金属製のワイヤー、またはカーボンナノチューブにより構成されている
請求項５に記載のヘッドホン。
【請求項７】
前記接続部がアウターチューブにより被覆されている
請求項１に記載のヘッドホン。
【請求項８】
前記折り返し部は、滑車により構成されている
請求項２に記載のヘッドホン。
【請求項９】
前記接続部は、音声信号伝送線により構成されている
請求項１に記載のヘッドホン。
【請求項１０】
前記音声信号伝送線は音声再生装置からの音声信号を伝送する信号線と電気的に結合される
請求項９に記載のヘッドホン。
【請求項１１】
前記接続部と、前記第１のスライダおよび前記第２のスライダはコネクタによって接続されている
請求項１に記載のヘッドホン。
【請求項１２】
前記第１のスライダおよび前記第２のスライダは前記ヘッドバンドとの摩擦により位置が保持される
請求項１に記載のヘッドホン。
【請求項１３】
前記折り返し部は前記ヘッドバンドの一方側にのみ設けられており、
前記ヘッドバンドの前記折り返し部が設けられている側と設けられていない側とを示すための表記が設けられている
請求項２に記載のヘッドホン。
【発明の詳細な説明】
【技術分野】
【０００１】
この技術は、ヘッドホンに関する。
【背景技術】
【０００２】
従来から、頭部サイズへの追従のためにスライド機構を有するヘッドホンが多数提案されている（特許文献１）。
【先行技術文献】
【特許文献】
【０００３】
【特許文献１】特開２０１２−５４７８０号公報
【発明の概要】
【発明が解決しようとする課題】
【０００４】
特許文献１に記載されたヘッドホンにおいては、スライダの長さ調節は煩雑であり、手間がかかるものである。【０００５】
本技術はこのような点に鑑みなされたものであり、ユーザが容易に調整を行えるヘッドホンを提供することを目的とする。
【課題を解決するための手段】
【０００６】
上述した課題を解決するために、本技術は、ヘッドバンドと、ヘッドバンドの一端側に設けられ、ヘッドバンドに対してスライドする第１のスライダと、ヘッドバンドの他端側に設けられ、ヘッドバンドに対してスライドする第２のスライダと、第１のスライダと前記第２のスライダとを接続し、第１のスライダのスライド動作に連動して第２のスライダをスライドさせる接続部と、第１のスライド部と第２のスライド部にそれぞれ設けられ、音声出力部を収納する一対のハウジングとを備えるヘッドホンである。
【発明の効果】
【０００７】
本技術によれば、左右のスライダを連動してスライドさせることができる。
【図面の簡単な説明】
【０００８】
【図１】図１は、本技術の第１の実施の形態に係るヘッドホンの外観構成を示す正面図である。
【図２】図２は、ヘッドホンの外観構成を示す側面図である。
【図３】図３は、線材の接続構成を示す図である。
【図４】図４Ａは、ヘッドホンのＬ側の内部構造を示す正面視断面図であり、図４Ｂは、図４Ａにおいて破線の円で示された範囲の拡大図である。
【図５】図５は、ヘッドホンのＬ側の内部構造を示す側面図である。
【図６】図６Ａは、ヘッドホンのＲ側内部構造を示す正面視断面図であり、図６Ｂは、図６Ａにおいて破線の円で示された範囲の拡大図である。
【図７】図７は、第１線材によるスライダの引き出し動作を示す図である。
【図８】図８は、第１線材によるスライダの収納動作を示す図である。
【図９】図９は、第２線材によるスライダの引き出し動作を示す図である。
【図１０】図１０は、第２線材によるスライダの収納動作を示す図である。
【図１１】図１１は、本技術に係るヘッドホンの第１の変形例を示す側面図である。
【図１２】図１２は、本技術に係るヘッドホンの第２の変形例を示す正面視断面図である。
【図１３】図１３は、本技術に係るヘッドホンの第３の変形例における音声信号伝送線の構成を示す図である。
【図１４】図１４は、本技術に係るヘッドホンの第３の変形例における音声信号伝送線の構成を示す図である。
【図１５】図１５Ａは、本技術に係るヘッドホンの第４の変形例の構成を示す側面図であり、図１５Ｂは第４の変形例に係るヘッドホンのコネクタを接続した状態を示す側面図である。
【図１６】図１６は、第４の変形例におけるコネクタの形状の一例を示す図である。
【発明を実施するための形態】
【０００９】
以下、本技術の実施の形態について図面を参照しながら説明する。なお、説明は以下の順序で行う。
＜１．第１の実施の形態＞
［１−１.ヘッドホンの構成］
＜２．変形例＞
【００１０】
＜１．第１の実施の形態＞
［１−１.ヘッドホンの構成］
図１は、ヘッドホン１０の外観構成を示す正面図である。また、図２は、ヘッドホン１０の外観構成を示す側面図である。ヘッドホン１０は、ヘッドバンド２０、Ｌ側スライダ３１、Ｒ側スライダ３２、Ｌ側ハンガ４１、Ｒ側ハンガ４２、Ｌ側ハウジング５１、Ｒ側ハウジング５２、Ｌ側イヤパッド６１、Ｒ側イヤパッド６２、コード７０および連動スライド機構により構成されている。
【００１１】
ヘッドバンド２０はユーザの頭部に沿うように湾曲状に形成されており、装着状態においてユーザの頭頂部に接することによりヘッドホン１０全体を支持するものである。ヘッドバンド２０はプラスチックなどの合成樹脂、金属などを用いて構成されており、所定の剛性および弾性を有することにより可撓性を備えている。これにより、装着時にはハウジングおよびイヤパッドをユーザの側頭部方向に押圧してヘッドホン１０の装着状態を維持することができる。
【００１２】
ヘッドバンド２０には、ヘッドバンド２０を被覆するようにカバーが設けられている。カバーは、ヘッドバンド２０の内面におけるユーザの頭頂部に当接する部分における緩衝材として機能するとともに、ヘッドバンドの内部構造が露出することを防ぐ役割も果たす。なお、カバーに代えて、ユーザの頭頂部に当接する部分にクッション、ゴムなどの弾性体を設けるようにしてもよい。また、携帯時に中央で折り畳めるようにヘッドバンド２０にヒンジを設けてもよい。
【００１３】
Ｌ側スライダ３１、Ｒ側スライダ３２は、ヘッドバンド２０の両端にそれぞれ設けられている。Ｌ側スライダ３１の下端にはＬ側ハンガ４１が設けられている。また、Ｒ側スライダ３２の下端にはＲ側ハンガ４２が設けられている。
【００１４】
Ｌ側スライダ３１、Ｒ側スライダ３２はヘッドバンド２０内部において摺動可能に構成されている。Ｌ側スライダ３１、Ｒ側スライダ３２が摺動することにより、Ｌ側ハンガ４１、Ｒ側ハンガ４２およびＬ側ハウジング５１、Ｒ側ハウジング５２をヘッドバンド２０に対して下方または上方に移動させることができる。ヘッドホン１０の装着時には、ユーザの頭部の大きさや耳と頭頂部との距離などに合わせてスライダの伸縮度合いを調整することにより、Ｌ側イヤパッド６１、Ｒ側イヤパッド６２をユーザの耳に対向する位置に合わせる事ができる。これにより、ユーザは自らの身体的特徴や嗜好に応じた装着感を得ることができる。一方、ヘッドホン１０を使用しない場合には、スライダを縮めた収納状態にすることにより、保管スペースを節約することができる。
【００１５】
なお、Ｌ側スライダ３１、Ｒ側スライダ３２は、ヘッドバンド２０の内面との摩擦によりスライド位置が保持されるようにしてもよいし、多数の凹みに突起が係合することにより位置を保持するいわゆるクリック機構によりスライド位置が保持されるようにしてもよい。
【００１６】
Ｌ側ハンガ４１はＬ側スライダ３１の先端に設けられており、Ｌ側ハウジング５１を回動自在に支持するものである。同様に、Ｒ側ハンガ４２はＲ側スライダ３２の先端に設けられており、Ｒ側ハウジング５２を回動自在に支持するものである。Ｌ側ハンガ４１、Ｒ側ハンガ４２は、一対の先端からそれぞれ内向きに突出する支持ピン（図示せず。）で軸支することによりＬ側ハウジング５１、Ｒ側ハウジング５２をそれぞれ回動自在に支持する。これにより、ヘッドホン１０の装着時においては、ユーザの耳の周囲の形状に合わせて向きを変えて、Ｌ側ハウジング５１、Ｒ側ハウジング５２をユーザの側頭部の形状に適した状態で耳に対向させることができる。
【００１７】
Ｌ側ハウジング５１、Ｒ側ハウジング５２は、内部に音声処理回路、ドライバユニット、スピーカ（図示せず。）などを収容する収容部として機能するものである。Ｌ側ハウジング５１、Ｒ側ハウジング５２は例えば、プラスチックなどの合成樹脂を用いて形成されている。音声処理回路は例えば、スピーカを駆動する音声信号に対して、ノイズキャンセリング処理、信号増幅処理、イコライジング処理などの所定の音声信号処理を施すものである。スピーカは音声処理回路により処理が施された音声信号を音声として出力する音声出力手段である。
【００１８】
Ｌ側イヤパッド６１はＬ側ハウジング５１におけるユーザの側頭部に対向する側の面に設けられている。同様に、Ｒ側イヤパッド６２はＲ側ハウジング５２におけるユーザの側頭部に対向する側の面に設けられている。Ｌ側イヤパッド６１、Ｒ側イヤパッド６２は、弾力性を有するように構成されており、ハウジングとユーザの側頭部との間に介在することにより、ハウジングとユーザの側頭部間の緩衝部材として機能するものである。すなわち、イヤパッドは、ヘッドホン１０の装着時において、変形しにくい硬い素材で形成されたハウジングが直接ユーザの側頭部に接してユーザに不快感や痛みを与えることを防止するものである。
【００１９】
また、Ｌ側イヤパッド６１、Ｒ側イヤパッド６２は、イヤパッドとユーザの側頭部により形成される空間を密閉することにより、低音域の再現性の向上などの音質の向上を図る役割も担う。また、スピーカから出力される音声が外部に漏れることを防ぐ役割も担う。さらに、Ｌ側イヤパッド６１、Ｒ側イヤパッド６２は外部からの騒音を遮断してスピーカからの音声を聴取し易くする働きも担う。
【００２０】
Ｌ側イヤパッド６１、Ｒ側イヤパッド６２は、発泡ウレタン・綿・化学繊維などの弾力性のある材料を用いて環状に形成された緩衝部と、緩衝部を被覆するカバーとから構成されている。ただし、緩衝部を構成する材料は、それらに限定されるものではなく、適度な弾力性を有しているものであればいかなる材料であってもよい。
【００２１】
カバーは、緩衝部の全面を覆い、ヘッドホン１０の装着時においてユーザの側頭部に直接接触するものである。カバーは例えば、天然皮革、合成皮革などの肌触りのよい材料で形成されることが好ましい。
【００２２】
コード７０は内部に音声信号用導線であるＬチャンネル用導線、Ｒチャンネル用導線、グランド線などが挿通しており、音声信号を伝送するためのものである。コード７０は、Ｌ側ハウジング５１、Ｒ側ハウジング５２のどちらか一方のハウジング内に収容された音声処理回路に接続される。なお、コード７０が接続されていない他方のハウジングには、ヘッドバンド２０内部を挿通する渡りコードにより音声信号用導線が供給される。なお、Ｌ側ハウジング５１、Ｒ側内の音声処理回路にそれぞれ音声信号を供給するように２本のコード７０をそれぞれＬ側ハウジング５１、Ｒ側ハウジング５２に接続してもよい。
【００２３】
また、コード７０の他端にはプラグ（図示せず。）が設けられている。そのプラグがＭＰ３プレーヤなどの音声再生装置（図示せず。）に接続されることにより、ヘッドホン１０が音声再生装置に接続される。また、Ｗｉ−ＦｉやＢｌｕｅｔｏｏｔｈなどの近接無線通信によって音声再生装置と接続されてもよく、その場合にはコード７０の一端側に相当する部分に無線の送受信部が設けられる。Ｌ側ハウジング５１、Ｒ側ハウジング５２内部には、無線通信用のアンテナや音声処理回路、ドライバユニット、スピーカに電源を供給する電源部（図示せず）がさらに収容される。
【００２４】
なお、ヘッドホン１０は、いわゆる密閉式のヘッドホンであってもよいし、通気性のあるウレタンフォームのイヤパッドを用いたオープンエア型のヘッドホンでもよい。
【００２５】
次に、図３乃至図１０を参照して連動スライド機構の構成について説明する。連動スライド機構は、Ｌ側スライダ３１のスライド動作に連動して自動的にＲ側スライダ３２を同方向にスライドさせ、同時にＲ側スライダ３２のスライド動作に連動して自動的にＬ側スライダ３１を同方向にスライドさせるための機構である。連動スライド機構は、Ｌ側折り返し部１１１、Ｒ側折り返し部１１２、第１線材１２１、第２線材１２２とから構成されている。第１線材１２１と第２線材１２２は特許請求の範囲における接続部に相当するものである。
【００２６】
図３は、Ｌ側スライダ３１、Ｒ側スライダ３２、Ｌ側折り返し部１１１、Ｒ側折り返し部１１２、第１線材１２１、第２線材１２２の接続態様を示すヘッドホン１０の概略図である。図３においては、説明の便宜上ヘッドバンド２０を除いてあるが、第１線材１２１、第２線材１２２は、ヘッドバン２０内部を渡るように設けられている。
【００２７】
図３に示されるように、第１線材１２１は、一端側がＬ側スライダ３１に接続され、ヘッドバンド２０に沿ってＲ側スライダ３２へ延び、Ｒ側折り返し部１１２で折り返されてＲ側スライダ３２に接続されている。また、第２線材１２２は、一端側がＲ側スライダ３２に接続され、ヘッドバンド２０に沿ってＬ側スライダ３１へ延び、Ｌ側折り返し部１１１で折り返されてＬ側スライダ３１に接続されている。このようにＬ側折り返し部１１１、Ｒ側折り返し部１１２、第１線材１２１、第２線材１２２は左右対称の構成となっている。
【００２８】
図４Ａは、Ｌ側折り返し部１１１と第１線材１２１、第２線材１２２の構成を示すヘッドホン１０のＬ側の正面視部分断面図である。図４Ｂは、図４Ａにおける破線円部分を拡大した部分拡大図である。また、図５は、Ｌ側折り返し部１１１と第１線材１２１、第２線材１２２の構成を示すヘッドホン１０の側面視内部図である。図５はヘッドバンド２０を被覆しているカバーを除いてヘッドバンド２０の内部を示した図である。なお、図５においては、Ｌ側折り返し部１１１は図示されていないが、第１線材１２１はＬ側折り返し部１１１によって折り返されている。
【００２９】
Ｌ側折り返し部１１１は、内部に第２線材１２２が通るように穴を有する形状に構成されており、ヘッドバンド２０の一端側であるＬ側の内部に設けられている。
【００３０】
第２線材１２２は、一端側がＲ側スライダ３２に接続され、他端側がＬ側スライダ３１に接続されている。第２線材１２２は、ヘッドバンド２０内部を挿通するように設けられており、ヘッドバンド２０のＬ側端に向けて下っていくように延びている。そして、ヘッドバンド２０のＬ側端に設けられているＬ側折り返し部１１１に挿入されて上方に向けて折り返される。折り返された第２線材１２２は上方に向けて延びて、Ｌ側スライダ３１の上端に接続されている。第２線材１２２とＬ側スライダ３１の接続方法は、例えば、Ｌ側スライダ３１に孔を設け、その孔に第２線材１２２を通して結んで固定するという方法がある。
【００３１】
図６Ａは、Ｒ側折り返し部１１２と第１線材１２１、第２線材１２２の構成を示すヘッドホン１０のＲ側の部分正面視断面図である。図６Ｂは、図５Ａにおける破線円部分を拡大した部分拡大図である。Ｒ側折り返し部１１２は上述したＬ側折り返し部１１１と同様の構成でヘッドバンド２０のＲ側に設けられている。
【００３２】
第１線材１２１は、一端側がＬ側スライダ３１に接続され、他端側がＲ側スライダ３２に接続されている。第１線材１２１は、ヘッドバンド２０内部を挿通するように設けられており、ヘッドバンド２０のＲ側端に向けて下っていくように延びている。そして、ヘッドバンド２０のＲ側端に設けられているＲ側折り返し部１１２に挿入されて上方に向けて折り返される。折り返された第１線材１２１は上方に向けて延びて、Ｒ側スライダ３２の上端に接続される。第１線材１２１とＲ側スライダ３２の接続方法は、例えば、Ｒ側スライダ３２に孔を設け、その孔に第１線材１２１を通して結んで固定するという方法がある。
【００３３】
このように、Ｌ側折り返し部１１１、Ｒ側折り返し部１１２、第１線材１２１、第２線材１２２は左右対称にヘッドホン１０の内部に設けられている。
【００３４】
第１線材１２１および第２線材１２２は、例えば、アラミド繊維、金属ワイヤー、カーボンナノチューブなどにより構成されている。これらの剛性の強い素材を用いることによって、ヘッドホン１０の小型化、高耐久化を図ることができる。ただし、第１線材１２１および第２線材１２２の素材はこれらに限定されるものではなく、線状であり、繰り返し牽引されても切れない強度を備えているものであればどのようなものでも用いることができる。
【００３５】
また、第１線材１２１および第２線材１２２は、例えばゴムなどに弾性材料からなるアウターチューブにより被覆されている。これにより線材を保護することができる。また、線材が牽引されて動く際の摩擦を低減することができる。
【００３６】
次に、第１線材１２１によるスライドの連動について図７を参照して説明する。まず、スライダを引き出す方向の動作について説明する。なお、実施の形態においてはヘッドホン１０には第１線材１２１と第２線材１２２が設けられているが、説明の便宜上、図７においては、第１線材１２１のみを示して説明を行う。また、第１線材１２１は、ヘッドバンド２０に沿って設けられているが、説明の便宜上ヘッドバンド２０は省略する。
【００３７】
まず、ユーザがＬ側スライダ３１を下方向にスライドさせると、位置Ａにおいては、第１線材１２１はＬ側スライダ３１によってＬ側スライダ３１のスライド方向と同方向である下方向に牽引される。そして、位置Ｂにおいては、位置Ａにおける牽引に連動して第１線材１２１は上方向に牽引される。
【００３８】
第１線材１２１はＲ側折り返し部１１２により折り返されているため、次に位置Ｃにおいて第１線材１２１は、位置Ｂにおいて上方向に牽引されたのとは逆に下方向に牽引されることになる。そして、第１線材１２１の他端はＲ側スライダ３２に接続されているため、矢印Ｄに示されるように、位置Ｃで下方向に牽引されている第１線材１２１がＲ側スライダ３２を下方向に牽引することになる。
【００３９】
そうすると、Ｌ側スライダ３１の下方向へのスライドに連動してＲ側スライダ３２も同方向である下方向にスライドする。これにより、ユーザがＬ側スライダ３１を下方向にスライドさせると、それに連動して自動的にＲ側スライダ３２も下方向にスライドさせることができる。
【００４０】
なお、位置Ａ、位置Ｂ、位置Ｃ、位置Ｄにおいて第１線材１２１が牽引される距離は全て略同等であるため、Ｌ側スライダ３１とＲ側スライダ３２のスライド距離も略同等なものとなる。よって、Ｌ側スライダ３１をスライドさせるとそのスライド距離と略同等の距離だけＲ側スライダ３２をスライドさせることができる。
【００４１】
次に、スライダを収納する方向の動作について図８を参照して説明する。なお、実施の形態においてはヘッドホン１０には第１線材１２１と第２線材１２２が設けられているが、説明の便宜上、図８においては第１線材１２１のみを示して説明を行う。また、第１線材１２１は、ヘッドバンド２０に沿って設けられているが、説明の便宜上ヘッドバンド２０は省略する。
【００４２】
Ｒ側スライダ３２を収納方向である上方向にスライドさせると、位置Ｄで上方向にスライドするＲ側スライダ３２によって位置Ｃにおいて第１線材１２１はＲ側スライダ３２のスライド方向と同方向である上方向に牽引される。
【００４３】
第１線材１２１はＲ側折り返し部１１２により折り返されているため、次に位置Ｂにおいて第１線材１２１は、位置Ｃにおいて上方向に牽引されたのとは逆に下方向に牽引されることになる。そして、第１線材１２１の他端はＬ側スライダ３１に接続されているため、位置Ａにおいて、第１線材１２１はＬ側スライダ３１を上方向に牽引することになる。
【００４４】
そうすると、Ｒ側スライダ３２の上方向へのスライドに連動してＬ側スライダ３１も同方向である上方向にスライドする。これにより、ユーザがＲ側スライダ３２を上方向にスライドさせると、それに連動して自動的にＬ側スライダ３１も上方向にスライドさせることができる。
【００４５】
なお、位置Ａ、位置Ｂ、位置Ｃ、位置Ｄにおいて第１線材１２１が牽引される距離は全て略同等であるため、Ｌ側スライダ３１とＲ側スライダ３２のスライド距離も略同等なものとなる。よって、Ｌ側スライダ３１をスライドさせるとそのスライド距離と略同等の距離だけＲ側スライダ３２をスライドさせることができる。
【００４６】
次に図９を参照して第２線材１２２によるスライド動作について説明する。説明の便宜上、図９においては第２線材１２２のみを示して説明を行う。また、第２線材１２２は、ヘッドバンド２０の内部に設けられているが、説明の便宜上ヘッドバンド２０は省略する。
【００４７】
まず、スライダを引き出す方向の動作について説明する。まず、ユーザがＲ側スライダ３２を下方向にスライドさせると、位置Ａにおいては、第２線材１２２はＲ側スライダ３２によってＲ側スライダ３２のスライド方向と同方向である下方向に牽引される。そして、位置Ｂにおいては、位置Ａにおける牽引に連動して第２線材１２２は上方向に牽引される。
【００４８】
第２線材１２２はＬ側折り返し部１１１により折り返されているため、次に位置Ｃにおいて第２線材１２２は、位置Ｂにおいて上方向に牽引されたのとは逆に下方向に牽引されることになる。そして、第２線材１２２の他端はＬ側スライダ３１に接続されているため、位置Ｃで下方向に牽引されている第２線材１２２がＬ側スライダ３１を下方向に牽引することになる。
【００４９】
そうすると、Ｒ側スライダ３２の下方向へのスライドに連動してＬ側スライダ３１も同方向である下方向にスライドする。これにより、ユーザがＲ側スライダ３２を下方向にスライドさせると、それに連動して自動的にＬ側スライダ３１も下方向にスライドさせることができる。
【００５０】
なお、位置Ａ、位置Ｂ、位置Ｃ、位置Ｄにおいて第１線材１２２が牽引される距離は全て略同等であるため、Ｒ側スライダ３２とＬ側スライダ３１のスライド距離も略同等なものとなる。よって、Ｒ側スライダ３２をスライドさせるとそのスライド距離と略同等の距離だけＬ側スライダ３１をスライドさせることができる。
【００５１】
次に、図１０を参照して第２線材１２２によるスライダを収納する方向の動作について説明する。説明の便宜上、図１０においては第２線材１２２のみを示して説明を行う。また、第２線材１２２は、ヘッドバンド２０の内部に設けられているが、説明の便宜上ヘッドバンド２０は省略する。
【００５２】
Ｌ側スライダ３１を収納方向である上方向にスライドさせると、位置Ｄで上方向にスライドするＬ側スライダ３１により、位置Ｃにおいて第２線材１２２はＬ側スライダ３１のスライド方向と同方向である上方向に牽引される。
【００５３】
第２線材１２２はＬ側折り返し部１１１により折り返されているため、次に位置Ｂにおいて第２線材１２２は、位置Ｃにおいて上方向に牽引されたのとは逆に下方向に牽引されることになる。そして、第２線材１２２の他端はＲ側スライダ３２に接続されているため、位置Ａにおいて、第２線材１２２はＲ側スライダ３２を上方向に牽引することになる。
【００５４】
そうすると、Ｌ側スライダ３１の上方向へのスライドに連動してＲ側スライダ３２も同方向である上方向にスライドする。これにより、ユーザがＬ側スライダ３１を上方向にスライドさせると、それに連動して自動的にＲ側スライダ３２も上方向にスライドさせることができる。
【００５５】
なお、位置Ａ、位置Ｂ、位置Ｃ、位置Ｄにおいて第２線材１２２が牽引される距離は全て略同等であるため、Ｒ側スライダ３２とＬ側スライダ３１のスライド距離も略同等なものとなる。よって、Ｒ側スライダ３２をスライドさせるとそのスライド距離と略同等の距離だけＬ側スライダ３１をスライドさせることができる。
【００５６】
よって、Ｌ側スライダ３１をスライドさせると、それに連動してＲ側スライダ３２が同方向に同じスライド距離分スライドすることになる。さらに、Ｒ側スライダ３２をスライドさせると、それに連動してＬ側スライダ３１が同じスライド距離分同方向にスライドすることになる。これにより、Ｌ側スライダ３１とＲ側スライダ３２とを別々にスライドさせる必要がなくなる。また、左右のスライダのスライド距離が均等になっているかを目で確認しながらスライダをそれぞれ別々にスライドさせる煩わしさを解消することができる。よって、スライダのスライド距離に左右で差が生じることなく、ヘッドホン１０の装着を迅速容易に行うことが可能となる。また、Ｌ側、Ｒ側、引き出し方向、収納方向の機械的動作が左右で鏡面対称になるため動作感に違いが出にくい。
【００５７】
ユーザがヘッドホン１０を装着する場合には、まずヘッドバンド２０を頭に当接させる。次に左手でＬ側ハウジング５１、右手でＲ側ハウジング５２をそれぞれ把持し、Ｌ側ハウジング５１、Ｒ側ハウジング５２をユーザが希望する位置にくるように同時に引き出し方向である下方向にスライドさせる。
【００５８】
そうすると、上述した第１折り返し部１１１、第２折り返し部１１２、第１線材１２１、第２線材１２２とからなる連動スライド機構によりＬ側スライダ３１とＲ側スライダ３２とは共に略同等の距離スライドすることになり、左右の両スライダは均等に引き出される。
【００５９】
なお、ヘッドホン１０の装着方法は上述の方法に限られるものではない。ヘッドバンド２０を頭に当接させる前に、Ｌ側スライダ３１、Ｒ側スライダ３２をスライドさせると均等に引き出されるので、その後にヘッドホン１０を頭に装着するようにしてもよい。
【００６０】
＜２．変形例＞
以上、本技術の一実施の形態について具体的に説明したが、本技術は上述の実施形態に限定されるものではなく、本技術の技術的思想に基づく各種の変形が可能である。
【００６１】
まず、第１の変形例について図１１を参照して説明する。図１１は、ヘッドバンド２０のＬ側の内部構成を示す側面図である。図１１においては、ヘッドバンド２０のカバーを除いてヘッドバンド２０の内部を示している。なお、図１１においては、Ｌ側折り返し部１１１は図示されていないが、第１線材１２１はＬ側折り返し部１１１によって折り返されている。
【００６２】
第１の変形例においては、ヘッドバンド２０とＬ側スライダ３１とを接続するように弾性体１３０が設けられている。弾性体１３０としては例えば、コイルばね、ゴムなどがある。弾性体１３０は常にＬ側スライダ３１を収納方向である上方向に付勢している。
【００６３】
Ｌ側スライダ３１を引き出し方向である下方向にスライドさせてヘッドホン１０を装着した際には、Ｌ側スライダ３１とヘッドバンド２０の摩擦および、Ｌ側イヤパッド６１とユーザの耳との引っかかりと摩擦によりＬ側スライダ３１の位置は固定される。これにより、ヘッドホン１０装着時にＬ側スライダ３１が収納方向にスライドしてＬ側ハウジング５１およびＬ側イヤパッド６１の位置が変化してしまうことはない。
【００６４】
そして、ヘッドホン１０の使用が終了して頭からヘッドホン１０を外すと、弾性体１３０により牽引されてＬ側スライダ３１は収納方向である上方向にスライドする。図１１はＬ側の構成を示す側面図であるが、Ｒ側についても同様の構成となっている。ただし、弾性体１３０は、Ｌ側、Ｒ側のいずれか一方にのみ設けられていてもよい。このように、自動でＬ側スライダ３１、Ｒ側スライダ３２をスライドさせて収納することができるため、収納するためにスライダをスライドさせる煩わしさを解消することができる。
【００６５】
次に第２の変形例について図１２を参照して説明する。図１２は、Ｌ側スライダ３１とヘッドバンド２０の構成を示す正面視断面拡大図である。上述した実施の形態においては、Ｌ側折り返し部１１１およびＲ側折り返し部１１２は、線材が内部の穴に挿通した状態で摺動する構成となっていたが折り返し部の構成はそれに限られるものではない。図１２に示されるように第１折り返し部を滑車１４０により構成してもよい。
【００６６】
第１折り返し部を滑車１４０で構成した場合、Ｌ側スライダ３１のスライドによって第２線材１２２が牽引される際に滑車１４０が回転し、第２線材１２２の牽引がよりスムーズなものとなる。これにより、第１スライダ３１のスライドもよりスムーズなものになる。さらに、第１折り返し部、第２折り返し部の摩耗による損傷を防ぐことができる。なお、図示は省略するが、第２の変形例においては第２折り返し部も滑車により構成するとよい。
【００６７】
次に第３の変形例について説明する。上述した実施の形態では線材をアラミド繊維、金属ワイヤー、カーボンナノチューブなどを用いて連動スライド専用のものとして構成した。ただし、線材はそれらの素材を用いるものに限られるものではなく、音声信号用導線を線材として用いてもよい。
【００６８】
図１３は、ヘッドホン１０における音声信号用導線の構成を示すヘッドホン１０の簡略図である。図１３においては、説明の便宜上、Ｌ側ハンガ４１、Ｒ側ハンガ４２は省略して図を簡略化してある。図１４は、音声信号用導線を線材として用いた場合のヘッドホン１０の簡略図である。図１４においては説明の便宜上、ヘッドバンド２０、Ｌ側ハンガ４１、Ｒ側ハンガ４２は省略して図を簡略化してある。例えば、ヘッドホン１０においては図１３に示されるように、コード７０が一方のハウジングであるＬ側ハウジング５１に接続されている場合、音声信号用導線は渡りコード１５０としてヘッドバンド２０の内部を渡って他方のハウジングであるＲ側ハウジング５２に導出される。この場合、コード７０内にはＬチャンネル用導線、Ｒチャンネル用導線、グランド線が内蔵されている。コード７０が接続されているＬ側ハウジング５１においては、Ｌチャンネル用導線およびグランド線がハウジング内の音声処理回路、ドライバユニットなどに接続される。
【００６９】
そして、Ｒチャンネル用導線およびグランド線が渡りコード１５０としてヘッドバンド２０内部を渡ってＲ側ハウジング５２まで延び、Ｒ側ハウジング５２内の音声処理回路、ドライバユニットなどに接続される。
【００７０】
この場合、ヘッドバンド２０内部を渡るＲチャンネル用導線とグランド線である渡りコード１５０をアウターチューブで被覆して一本の線材として扱う。そして、図１４に示されるようにその線材としての渡りコード１５０を用いて、Ｒ側折り返し部１１２を介してＬ側スライダ３１とＲ側スライダ３２を接続する。そして渡りコード１５０は音声信号用導線であるため、Ｒ側スライダ３２からＲ側ハウジング５２内にまで延びてＲ側ハウジング５２内の音声処理回路、ドライバユニットなどに接続される。この場合の連動スライド動作は実施の形態におけるものと同様である。このように音声信号用導線を線材として用いることにより構成部品の簡略化を図ることができる。なお、図１４とは逆にＲ側ハウジングにコード７０が接続され、Ｌ側に折り返し部が設けられる構成でもよい。
【００７１】
次に図１５を参照して第４の変形例について説明する。第４の変形例は線材とスライダの接続に関するものである。図１５は、ヘッドホンのＬ側の構成を示す、ヘッドバンド２０のカバーを除いたヘッドバンド２０の内部構成図である。なお、図においては、Ｌ側折り返し部１１１は図示されていないが、第１線材１２１はＬ側折り返し部１１１によって折り返されている。
【００７２】
本変形例においては、第１線材１２１の一端側に第１コネクタ１６１が設けられている。Ｌ側スライダ３１の上端には第１コネクタ受け部１６２が設けられている。また、Ｒ側スライダ３２からＬ側スライダ３１に延びる第２線材１２２の一端には第２コネクタ１７１が設けられている。Ｌ側スライダ３２の上端には第２コネクタ受け部１７２が設けられている。
【００７３】
図１６に示されるように、第１コネクタ１６１は例えば爪部を備え、第１コネクタ受け部１６２は、コネクタが入り込むための穴およびコネクタの爪部が係合するための係合孔を備える。なお、第２コネクタ１７１、第２コネクタ受け部１７２も同様に構成されている。
【００７４】
図１５Ａに示されるように、第１線材１２１が接続された第１コネクタ１６１を第１コネクタ受け部１６２に挿入すると、図１５Ｂに示されるように爪部が係合孔に入り込むことにより第１コネクタ１６１と第１コネクタ受け部１６２が接続される。これにより、第１線材１２１とＬ側スライダ３１が接続されることになる。
【００７５】
また、第２線材１２２の一端には第２コネクタ１７１が設けられており、Ｌ側スライダ３２の上端には第２コネクタ受け部１７２が設けられている。第２コネクタ１７１と第２コネクタ受け部１７２も第１コネクタ１６１と第１コネクタ受け部１６２と同様にして接続される。これにより、第２線材１２２とＬ側スライダ３２とが接続される。なお、Ｒ側スライダ３２と第１線材１２１、第２線材１２２も同様にコネクタを用いて接続されている。
【００７６】
このように線材とスライダとの接続にコネクタを用いることにより、線材をコネクタに結びつけるなどの手間を省くことができるため、製造工程を簡略化することができる。
なお、コネクタの構造は図１５および図１６に示すものに限られず、コネクタとコネクタ受け部で接続して固定できるものであればどのような構成のものであってもよい。
【００７７】
実施の形態においては、ヘッドホン１０は第１線材１２１、第２線材１２２という２つの線材を備えるものとして説明を行った。しかし、線材の数は２つに限られるものではなく１つであってもよい。線材が１つである場合、折り返し部も１つ設けられていればよい。
【００７８】
使用する線材に十分な剛性が無い場合には、Ｌ側とＲ側のうち、折り返し部が設けられていない側のスライダを引き出し時にスライドさせる引き出し用スライダとする。一方、折り返し部が設けられている側のスライダを収納時にスライドさせる収納用スライダとする。図７乃至図１０を参照して説明したように、１つの線材においては、一方のスライダが引き出し用として機能し、他方のスライダが収納用として機能するからである。この場合、ハウジング、ヘッドバンドなどのどちらのスライダが引き出し用であるか収納用であるかを文字、マークなどにより示しておくとよい。一方、使用する線材が内部で弛むことがない程度に十分な剛性を有している場合には、Ｌ側とＲ側のどちらを使って引出しても、収容しても良い。
【００７９】
また、本技術は以下のような構成も取ることができる。
（１）
ヘッドバンドと、
前記ヘッドバンドの一端側に設けられ、前記ヘッドバンドに対してスライドする第１のスライダと、
前記ヘッドバンドの他端側に設けられ、前記ヘッドバンドに対してスライドする第２のスライダと、
前記第１のスライダと前記第２のスライダとを接続し、前記第１のスライダのスライド動作に連動して前記第２のスライダをスライドさせる接続部と、
前記第１のスライド部と前記第２のスライド部にそれぞれ設けられ、音声出力部を収納する一対のハウジングと
を備えるヘッドホン。
（２）
前記ヘッドバンドに折り返し部が設けられており、
前記接続部は、前記折り返し部で折り返されることにより、前記第１のスライダのスライド方向と同方向に前記第２のスライダをスライドさせる
（１）に請求項１に記載のヘッドホン。
（３）
前記接続部は、前記第１のスライダのスライド動作により、前記第１のスライダのスライド距離と略同等の距離だけ第２のスライダをスライドさせる
（１）または（２）に記載のヘッドホン。
（４）
前記折り返し部は、前記ヘッドバンドの一方および他方にそれぞれ設けられており、
前記接続部は、第１の接続部と第２の接続部とからなり、前記第１の接続部は、前記第１のスライド部のスライドに連動して前記第２のスライド部をスライドさせ、前記第２の接続部は、前記第２のスライド部のスライドに連動して前記第１のスライド部をスライドさせる
（１）から（３）のいずれかに記載のヘッドホン。
（５）
前記接続部は、線材により構成されている
（１）から（４）のいずれかに記載のヘッドホン。
（６）
前記接続部は、アラミド繊維、または金属製のワイヤー、またはカーボンナノチューブにより構成されている
（５）に記載のヘッドホン。
（７）
前記接続部がアウターチューブにより被覆されている
（１）から（６）のいずれかに記載のヘッドホン。
（８）
前記折り返し部は、滑車により構成されている
（２）に記載のヘッドホン。
（９）
前記接続部は、音声信号伝送線により構成されている
（１）から（８）のいずれかに記載のヘッドホン。
（１０）
前記音声信号伝送線は音声再生装置からの音声信号を伝送する信号線と電気的に結合される
（９）に記載のヘッドホン。
（１１）
前記接続部と、前記第１のスライダおよび前記第２のスライダはコネクタによって接続されている
（１）から（１０）のいずれかに記載のヘッドホン。
（１２）
前記第１のスライダおよび前記第２のスライダは前記ヘッドバンドとの摩擦により位置が保持される
（１）から（１１）のいずれかに記載のヘッドホン。
（１３）
前記折り返し部は前記ヘッドバンドの一方側にのみ設けられており、
前記ヘッドバンドの前記折り返し部が設けられている側と設けられていない側とを示すための表記が設けられている
（２）に記載のヘッドホン。
【符号の説明】
【００８０】
１０・・・・・・・ヘッドホン
２０・・・・・・・ヘッドバンド
３１・・・・・・・Ｌ側スライダ
３２・・・・・・・Ｒ側スライダ
５１・・・・・・・Ｌ側ハウジング
５２・・・・・・・Ｒ側ハウジング
１１１・・・・・・第１折り返し部
１１２・・・・・・第２折り返し部
１２１・・・・・・第１線材
１２２・・・・・・第２線材
１３０・・・・・・弾性体
１４０・・・・・・滑車
１５０・・・・・・渡りコード
１６１・・・・・・第１コネクタ
１６２・・・・・・第１コネクタ受け部
１７１・・・・・・第２コネクタ
１７２・・・・・・第２コネクタ受け部
【図１】
0006520941.tif 000002
【図２】
0006520941.tif 000003
【図３】
0006520941.tif 000004
【図４】
0006520941.tif 000005
【図５】
0006520941.tif 000006
【図６】
0006520941.tif 000007
【図７】
0006520941.tif 000008
【図８】
0006520941.tif 000009
【図９】
0006520941.tif 000010
【図１０】
0006520941.tif 000011
【図１１】
0006520941.tif 000012
【図１２】
0006520941.tif 000013
【図１３】
0006520941.tif 000014
【図１４】
0006520941.tif 000015
【図１５】
0006520941.tif 000016
【図１６】
0006520941.tif 000017